(57)【要約】【課題】コンペンロープを支持する取付板の強度を向上させることができると共に、コンペンロープの設置作業の簡略化を図ることができるエレベーター及びコンペンロープ支持機構を提供する。【解決手段】コンペンロープ支持機構は、コンペンロープ１３１の一端部１３１ａを保持するロープソケット１２と、取付板１３と、を備えている。取付板１３には、保持孔部２１が形成されている。そして、保持孔部２１における最も開口の間隔が長い箇所の開口長さは、ロープソケット１２の長辺長さＬ３よりも長く設定される。また、保持孔部２１における最も開口の間隔が短い箇所の開口長さＬ１は、ロープソケットの短い短辺長さＬ２よりも長く、ロープソケットの長辺長さＬ３よりも短く設定されている。【選択図】図２
2020175988.tif 000002
【特許請求の範囲】
【請求項１】
建築構造物に設けられた昇降路内を昇降移動する乗りかごと、
前記乗りかごに主ロープを介して連結される釣合おもりと、
一端部が前記乗りかごに接続され、前記一端部とは反対側の他端部が前記釣合おもりに接続されるコンペンロープと、
前記コンペンロープの前記一端部を前記乗りかごに接続又は前記他端部を前記釣合おもりに接続するコンペンロープ支持機構と、を備え、
前記コンペンロープ支持機構は、
前記コンペンロープの前記一端部又は前記他端部が挿入され、前記一端部又は前記他端部を保持するロープソケットと、
前記乗りかご又は前記釣合おもりに設置される取付板と、を備え、
前記取付板には、前記ロープソケットが挿入されて、前記ロープソケットを保持する保持孔部が形成され、
前記保持孔部における最も開口の間隔が長い箇所の開口長さは、前記ロープソケットの水平投影面において最も長さが長い長辺長さよりも長く設定され、
前記保持孔部における最も開口の間隔が短い箇所の開口長さは、前記ロープソケットの水平投影面において最も長さが短い短辺長さよりも長く、前記ロープソケットの前記長辺長さよりも短く設定されている
エレベーター。
【請求項２】
前記保持孔部には、
前記ロープソケットの少なくとも一部が上下方向に通過可能な挿通部と、
前記ロープソケットが嵌合する嵌合孔と、が形成される
請求項１に記載のエレベーター。
【請求項３】
前記ロープソケットにおける前記嵌合孔に嵌合する端部は、前記コンペンロープが挿通する中心軸から外周までの長さが異なる箇所を有する形状により形成されている
請求項２に記載のエレベーター。
【請求項４】
前記ロープソケットには、前記嵌合孔と嵌合する嵌合突起が設けられている
請求項２又は３に記載のエレベーター。
【請求項５】
前記取付板は、平板状に形成され、
前記保持孔部は、前記取付板の長手方向の一端部から他端部まで連続して開口する長孔であり、
前記保持孔部には、複数の前記ロープソケットが挿入される
請求項１に記載のエレベーター。
【請求項６】
前記取付板には、前記ロープソケットにより保持された前記コンペンロープが複数取り付けられ、
前記取付板には、前記保持孔部が複数形成され、
複数の前記保持孔部は、仕切り壁により仕切られる
請求項１に記載のエレベーター。
【請求項７】
前記取付板は、平板状に形成され、
前記保持孔部は、前記取付板の長手方向の一端部から他端部まで連続して開口する長孔であり、
前記保持孔部には、
前記ロープソケットの少なくとも一部が上下方向に通過可能な挿通部と、
前記ロープソケットが嵌合する複数の嵌合孔と、
前記複数の嵌合孔を仕切る仕切り突起と、が形成されて、複数の前記ロープソケットが挿入され、
前記コンペンロープ支持機構は、
前記コンペンロープの前記一端部又は他端部が巻き付けられるくさび部材を有し、
前記ロープソケットは、四角柱状に形成され、
前記ロープソケットには、前記くさび部材に巻き付けた前記コンペンロープの前記一端部又は前記他端部が挿入される挿入孔と、前記嵌合孔と嵌合する矩形状の嵌合突起が設けられた
請求項１に記載のエレベーター。
【請求項８】
エレベーターに設けられるコンペンロープの一端部又は他端部を、乗りかご又は釣合おもりに接続するコンペンロープ支持機構において、
前記コンペンロープの前記一端部又は前記他端部が挿入され、前記一端部又は前記他端部を保持するロープソケットと、
前記乗りかご又は前記釣合おもりに設置される取付板と、を備え、
前記取付板には、前記ロープソケットが挿入されて、前記ロープソケットを保持する保持孔部が形成され、
前記保持孔部における最も開口の間隔が長い箇所の開口長さは、前記ロープソケットの水平投影面において最も長さが長い長辺長さよりも長く設定され、
前記保持孔部における最も開口の間隔が短い箇所の開口長さは、前記ロープソケットの水平投影面において最も長さが短い短辺長さよりも長く、前記ロープソケットの前記長辺長さよりも短く設定されている
コンペンロープ支持機構。
【発明の詳細な説明】
【技術分野】
【０００１】
本発明は、乗りかごと釣合おもりに接続されたコンペンロープを有するエレベーター及びコンペンロープ支持機構に関するものである。
【背景技術】
【０００２】
従来、エレベーターは、乗りかご及び釣合おもりの昇降方向の移動距離が長くなると、乗りかごと釣合おもりを連結する主ロープにおける巻上機から乗りかごまでの長さが乗りかごの位置により変化する。その結果、主ロープ自体の重さにより、主ロープにおける巻上機に加わる乗りかご側の重量と、釣合おもり側の重量の差が大きくなる。この主ロープにおける乗りかご側の重量と、釣合おもり側の重量の差を小さくするために、コンペンロープが設けられている。
【０００３】
コンペンロープの端部を乗りかごに取り付ける技術としては、例えば、特許文献１に記載されているようなものがある。特許文献１には、乗りかごのかご床から立設される側板と対向する位置にコンペンロープを取付ける取台を設け、側板をかご床に組み付けない状態で乗かご内から取台にコンペンロープを取付ける技術が記載されている。
【０００４】
図８は、従来例のコンペンロープの端部を支持するコンペンロープ支持機構を示す斜視図である。
図８に示すように、従来の支持機構３００は、くさび部材３０１と、ロープソケット３０２と、取付板３０３と、ロープクリップ３０４と、を備えている。くさび部材３０１には、コンペンロープ１３１の端部が巻き付けられる。そして、くさび部材３０１に巻き付けたコンペンロープ１３１の端部は、ロープソケット３０２に取り付けられる。また、コンペンロープ１３１の端部は、折り返されることで重ね合わされて、ロープクリップ３０４により締結される。
【０００５】
取付板３０３は、乗りかごや釣合おもりに設けられた一対の支持ブラケットに固定されている。取付板３０３には、コンペンロープ１３１の端部が取り付けられたロープソケット３０２を保持する保持孔３０７が形成されている。また、取付板３０３には、複数の切り欠き３０８が形成されている。そのため、取付板３０３は、櫛歯状に形成されている。切り欠き３０８は、保持孔３０７に連通している。この切り欠き３０８からコンペンロープ１３１の端部が保持孔３０７に挿入される。
【０００６】
また、取付板３０３には、補強部材３０５及び抜け止め用補強部材３１０が固定されている。抜け止め用補強部材３１０は、切り欠き３０８の上下方向の上部と下部を覆うように固定され、切り欠き３０８からコンペンロープ１３１が抜け出ることを防止している。
【先行技術文献】
【特許文献】
【０００７】
【特許文献１】特開２００３−１２８３６１号公報
【発明の概要】
【発明が解決しようとする課題】
【０００８】
しかしながら、従来のコンペンロープ支持機構では、取付板３０３の強度が切り欠きにより低下していた。そして、取付板３０３の強度を確保と、コンペンロープ１３１が取付板３０３から抜け出ることを防止するために、抜け止め用補強部材３１０を取付板３０３に固定する必要があり、部品点数が増加していた。さらに、抜け止め用補強部材３１０は、ロープソケット３０２を取付板３０３に取り付けた後にしか、固定することができないため、コンペンロープの取り付け作業が大変煩雑なものとなっていた。
【０００９】
本目的は、上記の問題点を考慮し、コンペンロープを支持する取付板の強度を向上させることができると共に、コンペンロープの設置作業の簡略化を図ることができるエレベーター及びコンペンロープ支持機構を提供することにある。
【課題を解決するための手段】
【００１０】
上記課題を解決し、目的を達成するため、エレベーターは、乗りかごと、釣合おもりと、コンペンロープと、コンペンロープ支持機構と、を備えている。乗りかごは、建築構造物に設けられた昇降路内を昇降移動する。釣合おもりは、乗りかごに主ロープを介して連結される。コンペンロープは、一端部が乗りかごに接続され、一端部とは反対側の他端部が釣合おもりに接続される。コンペンロープ支持機構は、コンペンロープの一端部を乗りかごに接続又は他端部を釣合おもりに接続する。
コンペンロープ支持機構は、コンペンロープの一端部又は他端部が挿入され、一端部又は他端部を保持するロープソケットと、乗りかご又は釣合おもりに設置される取付板と、を備えている。取付板には、ロープソケットが挿入されて、ロープソケットを保持する保持孔部が形成されている。
そして、保持孔部における最も開口の間隔が長い箇所の開口長さは、ロープソケットの水平投影面において最も長さが長い長辺長さよりも長く設定される。また、保持孔部における最も開口の間隔が短い箇所の開口長さは、ロープソケットの水平投影面において最も長さが短い短辺長さよりも長く、ロープソケットの長辺長さよりも短く設定されている。
【００１１】
また、コンペンロープ支持機構は、上述したコンペンロープ支持機構が適用される。
【発明の効果】
【００１２】
上記構成のエレベーター及びコンペンロープ支持機構によれば、コンペンロープを支持する取付板の強度を向上させることができると共に、コンペンロープの設置作業の簡略化を図ることができる。
【図面の簡単な説明】
【００１３】
【図１】第１の実施の形態例にかかるエレベーターを示す概略構成図である。
【図２】第１の実施の形態例にかかるコンペンロープ支持機構を示す斜視図である。
【図３】第１の実施の形態例にかかるコンペンロープ支持機構におけるコンペンロープの設置動作を示す斜視図である。
【図４】第１の実施の形態例にかかるコンペンロープ支持機構を示す断面図である。
【図５】第２の実施の形態例にかかるコンペンロープ支持機構を示す断面図である。
【図６】第３の実施の形態例にかかるコンペンロープ支持機構を示す断面図である。
【図７】第４の実施の形態例にかかるコンペンロープ支持機構を示す斜視図である。
【図８】従来例にかかるエレベーターのコンペンロープにおける乗りかご側端部を示す斜視図である。
【発明を実施するための形態】
【００１４】
以下、エレベーター及びコンペンロープ支持機構の実施の形態例について、図１〜図７を参照して説明する。なお、各図において共通の部材には、同一の符号を付している。
【００１５】
１．第１の実施の形態例
１−１．エレベーターの構成
まず、第１の実施の形態例（以下、「本例」という。）にかかるエレベーターの構成について、図１を参照して説明する。
図１は、本例のエレベーターの構成例を示す概略構成図である。
【００１６】
図１に示すように、本例のエレベーター１は、建築構造物内に形成された昇降路１１０に設けられている。エレベーター１は、昇降路１１０内を昇降動作し、人や荷物を載せる乗りかご１２０と、主ロープ１３０と、釣合おもり１４０と、巻上機１００と、を備えている。昇降路１１０の頂部には、機械室１６０が設けられている。また、エレベーター１は、複数のコンペンロープ１３１と、コンペンロープ１３１が巻回するコンペンプーリ１３２と、このコンペンロープ１３１を支持するコンペンロープ支持機構１０と、調整機構１９０と、備えている。
【００１７】
巻上機１００は、機械室１６０に配置され、主ロープ１３０を巻き掛けることにより乗りかご１２０を昇降させる。また、巻上機１００の近傍には、主ロープ１３０が装架される反らせ車１５０が設けられている。
【００１８】
主ロープ１３０の軸方向の一端は、乗りかご１２０の上部に接続されており、主ロープ１３０の軸方向の他端は、釣合おもり１４０の上部に接続されている。そのため、乗りかご１２０は、主ロープ１３０を介して釣合おもり１４０と連結される。
【００１９】
巻上機１００が駆動することで、乗りかご１２０が不図示のかご側ガイドレールに沿って昇降路１１０内を昇降動作し、釣合おもり１４０が不図示のおもり側ガイドレールに沿って昇降路１１０内を昇降動作する。乗りかご１２０及び釣合おもり１４０が昇降移動する方向を、上下方向とする。また、上下方向は、鉛直方向と平行をなしている。
【００２０】
また、エレベーター１は、乗りかご１２０及び釣合おもり１４０の昇降方向の移動距離が長くなると、主ロープ１３０における巻上機１００から乗りかご１２０までの長さが乗りかご１２０の位置により変化する。その結果、主ロープ１３０自体の重さにより、主ロープ１３０における巻上機１００に対して乗りかご１２０側の重量と、釣合おもり１４０側の重量の差が大きくなる。そのため、本例のエレベーター１では、主ロープ１３０における乗りかご１２０側の重量と、釣合おもり１４０側の重量の差を小さくするため、コンペンロープ１３１が設けられている。
【００２１】
コンペンロープ１３１は、乗りかご１２０と釣合おもり１４０とを連結するように接続されている。コンペンロープ１３１の一端部１３１ａは、乗りかご１２０の上下方向の下部に設けたブラケット１２１に後述するコンペンロープ支持機構１０を介して接続されている。また、コンペンロープ１３１における一端部１３１ａとは反対側の他端部１３１ｂは、釣合おもり１４０の側面部に調整機構１９０を介して接続されている。調整機構１９０は、コイルばね等の弾性部材を有しており、コンペンロープ１３１の張力を調整する。
【００２２】
そして、コンペンロープ１３１は、乗りかご１２０や釣合おもり１４０から昇降路１１０の下方に向けて垂れ下がる。また、コンペンロープ１３１における昇降路１１０の下方に垂れ下がる中間部１３１ｃは、コンペンプーリ１３２に巻回されている。コンペンプーリ１３２は、昇降路１１０の上下方向の下方に設けられたピットに回転可能に配置されている。
【００２３】
１−２．コンペンロープ支持機構
次に、コンペンロープ支持機構１０の構成について図２〜図３を参照して説明する。
図２は、コンペンロープ支持機構１０を示す斜視図、図３は、コンペンロープ支持機構１０におけるコンペンロープ１３１の設置動作を示す斜視図、図４はコンペンロープ支持機構を示す断面図である。
【００２４】
図２〜図４に示すように、コンペンロープ支持機構１０は、くさび部材１１と、ロープソケット１２と、取付板１３と、ロープクリップ１４とを有している。
【００２５】
くさび部材１１は、略三角形状に形成されており、コンペンロープ１３１の一端部１３１ａが巻き付けられている。コンペンロープ１３１の一端部１３１ａは、くさび部材１１に巻き付けることにより折り返される。そして、コンペンロープ１３１の一端部１３１ａは、折り返されることで重ね合わされて、ロープクリップ１４により締結される。
【００２６】
ロープソケット１２は、四角柱状に形成されている。また、ロープソケット１２は、２つの短辺部１２ａ、１２ａと、２つの長辺部１２ｂ、１２ｂと、を有している。２つの短辺部１２ａ、１２ａは、互いに対向し、２つの長辺部１２ｂ、１２ｂは、互いに対向している。また、２つの短辺部１２ａ、１２ａ及び２つの長辺部１２ｂ、１２ｂは、上下方向と平行に配置される。
【００２７】
ロープソケット１２には、上下方向に貫通する挿入孔１６が形成されている。図３に示すように、挿入孔１６は、ロープソケット１２における上下方向の上方から下方に向かうにつれて開口径が連続して小さくなるテーパー状に形成されている。これにより、挿入孔１６に挿入されたコンペンロープ１３１の一端部１３１ａ及びくさび部材１１が、挿入孔１６から抜け出ることを防ぐことができる。
【００２８】
ロープソケット１２における上下方向の下端部には、嵌合突起１７が形成されている。嵌合突起１７は、ロープソケット１２の下端部の下面部１２ｃから上下方向の下方に向けて突出している。嵌合突起１７は、矩形状に形成されている。嵌合突起１７における水平投影面積は、ロープソケット１２の水平投影面積よりも小さく設定されている。
【００２９】
また、嵌合突起１７には、上下方向に貫通する挿通孔１７ａが形成されている。挿通孔１７ａは、ロープソケット１２の挿入孔１６に連通している。ロープソケット１２の挿入孔１６及び嵌合突起１７の挿通孔１７ａには、くさび部材１１に巻き付けられたコンペンロープ１３１の一端部１３１ａが挿入される。これにより、コンペンロープ１３１の一端部１３１ａが、ロープソケット１２及びくさび部材１１により保持される。そして、コンペンロープ１３１の一端部１３１ａを保持するロープソケット１２は、取付板１３に取り付けられる。
【００３０】
図２及び図３に示すように、取付板１３は、乗りかご１２０の下部に設けられた一対のブラケット１２１、１２１に固定される。取付板１３は、一対のブラケット１２１、１２１を橋渡すようにして、一対のブラケット１２１、１２１の間に配置される。取付板１３は、略平板状に形成されている。
【００３１】
取付板１３は、その長手方向が一対のブラケット１２１、１２１が対向する方向と平行に配置される。また、取付板１３の短手方向は、一対のブラケット１２１、１２１が対向する方向と直交し、かつ上下方向とも直交する。取付板１３における上下方向の下部には、補強部材１５が溶接又は固定ボルト等の固定手段により固定されている。
【００３２】
取付板１３には、ロープソケット１２が挿入されて、ロープソケット１２を保持する保持孔部２１が形成されている。保持孔部２１は、取付板１３を上下方向に貫通している。また、保持孔部２１は、取付板１３の長手方向の一端部から他端部にかけて連続して開口する長孔である。なお、保持孔部２１の長手方向の開口の長さは、ロープソケット１２の長辺部１２ｂの水平方向の長さ（以下、「長辺長さ」という）Ｌ３よりも長く形成されている。すなわち、保持孔部２１における最も開口の間隔の長い長辺部の長辺開口長さは、ロープソケット１２の長辺長さＬ３よりも長く開口している。
【００３３】
保持孔部２１には、複数の嵌合孔２２と、複数の仕切り突起２３と、挿通部２４が形成されている。挿通部２４は、保持孔部２１の長手方向の両端部に形成されている。複数の嵌合孔２２は、保持孔部２１の長手方向に沿って所定の間隔を空けて形成されている。また、嵌合孔２２は、取付板１３に取り付けられるコンペンロープ１３１の数に合わせて形成される。嵌合孔２２には、ロープソケット１２の嵌合突起１７が嵌合する。
【００３４】
仕切り突起２３は、隣り合う２つの嵌合孔２２の間に形成されている。仕切り突起２３は、保持孔部２１の壁面から短手方向の中心部に向けて突出している。そして、仕切り突起２３は、嵌合孔２２に嵌合するロープソケット１２の嵌合突起１７を仕切る。
【００３５】
保持孔部２１の短手方向の長さＬ１、すなわち互いに対向する２つの仕切り突起２３、２３の間隔の長さＬ１は、ロープソケット１２の短辺部１２ａの水平方向の長さ（以下、「短辺長さ」という）Ｌ２よりも長く設定されている（Ｌ１＞Ｌ２）。すなわち、保持孔部２１において最も開口の間隔が短い短辺部の短辺開口長さＬ１は、ロープソケット１２の水平投影面において最も長さが短い箇所の長さＬ２よりも長く設定されている。
【００３６】
また、保持孔部２１の短手方向の長さＬ１は、ロープソケット１２の長辺長さＬ３よりも短く設定されている（Ｌ１＜Ｌ３）。すなわち、保持孔部２１の短辺開口長さＬ１は、ロープソケット１２の水平投影面において最も長さが長い箇所の長さＬ３よりも短く設定されている。さらに、嵌合孔２２における長手方向の長さＬ４は、ロープソケット１２の長辺長さＬ３よりも短く設定されている（Ｌ４＜Ｌ３）。
【００３７】
さらに、挿通部２４における嵌合孔２２からの長手方向の長さＬ５は、ロープソケット１２の長辺長さＬ３からロープソケット１２の短辺長さＬ２を引いた長さよりも長く設定されている。そして、挿通部２４は、ロープソケット１２の長辺部１２ｂを保持孔部２１の長手方向と平行にした状態で、ロープソケット１２が挿通可能に開口している。
【００３８】
１−３．コンペンロープの設置動作例
次に、上述した構成を有するコンペンロープ支持機構１０におけるコンペンロープ１３１の設置動作の一例について説明する。
【００３９】
予め、コンペンロープ１３１の一端部１３１ａをくさび部材１１に巻き付けて折り返す。くさび部材１１が巻き付けられたコンペンロープ１３１をロープソケット１２の挿入孔１６に挿入する。そして、コンペンロープ１３１における折り返された一端部１３１ａを重ね合わせ、ロープクリップ１４により締結する。なお、挿入孔１６は、テーパー状に形成されているため、挿入孔１６に挿入されたコンペンロープ１３１の一端部１３１ａ及びくさび部材１１が、挿入孔１６から抜け出ることがない。
【００４０】
次に、図３に示すように、取付板１３における保持孔部２１の上下方向の下方からロープソケット１２及びコンペンロープ１３１を挿入する。なお、取付板１３には、予め補強部材１５が固定されており、取付板１３は、一対のブラケット１２１、１２１に固定されている。
【００４１】
なお、ロープソケット１２の短辺部１２ａを取付板１３の短手方向と平行にした状態で、ロープソケット１２及びコンペンロープ１３１を保持孔部２１に挿入させる。上述したように、ロープソケット１２の短辺長さＬ２は、保持孔部２１の短手方向の長さＬ１よりも短く設定されている。そのため、ロープソケット１２が保持孔部２１の側壁や仕切り突起２３に干渉することなく、ロープソケット１２を保持孔部２１に通すことができる。
【００４２】
次に、ロープソケット１２の上下方向の下端部である嵌合突起１７が、保持孔部２１の上方まで完全に通過すると、ロープソケット１２を水平方向に略９０度回転させる。そして、ロープソケット１２の短辺部１２ａを保持孔部２１の短手方向と直交させる。
【００４３】
次に、図４に示すように、ロープソケット１２の一部である嵌合突起１７を保持孔部２１における嵌合孔２２に挿入させ、嵌合突起１７と嵌合孔２２を嵌合させる。嵌合突起１７及び嵌合孔２２が矩形状に形成されている。これにより、引っ張り方向の荷重がコンペンロープ１３１に加わった際に、コンペンロープ１３１が回転することを防ぐことができる。
【００４４】
上述したように、ロープソケット１２の長辺長さＬ３は、保持孔部２１の短手方向の長さＬ１及び嵌合孔２２の長手方向の長さＬ４よりも長く設定されている。そのため、図４に示すように、ロープソケット１２の下面部１２ｃが取付板１３の上下方向の上面部１３ａに当接する。これにより、コンペンロープ１３１の一端部１３１ａを、ロープソケット１２及び取付板１３を介して乗りかご１２０の下部に固定することができる。なお、コンペンロープ１３１は、所定の張力により上下方向の下方に向けて引っ張られているため、ロープソケット１２及びコンペンロープ１３１の一端部１３１ａが取付板１３から抜け出ることがない。
【００４５】
そして、上述した手順を繰り返し、複数のコンペンロープ１３１及びロープソケット１２を取付板１３に取り付ける。なお、保持孔部２１の長手方向の両端部には、ロープソケット１２が挿通可能な挿通部２４が設けられている。そのため、複数のロープソケット１２のうち最後に取付板１３に取り付けられるロープソケット１２の端部を、挿通部２４を通過させることで、取付板１３にロープソケット１２を取り付けることができる。
【００４６】
本例のコンペンロープ支持機構１０によれば、保持孔部２１及び嵌合孔２２に挿通する切り欠きを設けることなく、コンペンロープ１３１及びロープソケット１２を取付板１３に設置することができる。そのため、切り欠きにより取付板１３の強度が低下することを防ぐことができ、取付板１３の強度を向上させることができる。さらに、取付板１３に設けた切り欠きを覆うための抜け止め用補強部材が必要なくなるため、部品点数の削減を図ることができると共に、コンペンロープ１３１の設置作業の簡略化を図ることができる。
【００４７】
また、取付板１３にコンペンロープ１３１及びロープソケット１２を設置する前や、取付板１３を一対のブラケット１２１、１２１に固定する前に、補強部材１５を取付板１３に予め固定することができる。そのため、コンペンロープ１３１を設置する作業現場で、補強部材１５を取付板１３に固定する作業を行う必要がなくなり、コンペンロープ１３１の設置作業の簡略化を図ることができる。なお、取付板１３の強度が要求された強度を満たしている場合は、補強部材１５を設けなくてもよい。
【００４８】
なお、本例では、嵌合突起１７を略矩形状に形成した例を説明したが、これに限定されるものではない。例えば、嵌合突起１７を、六角柱状や楕円柱状等その他各種の形状により形成される。また、コンペンロープ１３１の回転を防止するために、嵌合突起１７の形状としては、コンペンロープ１３１が挿通する中心軸から外周までの長さが全て一定でない形状、すなわち、四角形や楕円等のように中心軸から外周までの長さに異なる箇所を有する形状が好ましい。
【００４９】
あるいは、嵌合突起１７を円柱状に形成し、その側面部に回転止め用の凸部を設けてもよい。そして、嵌合孔２２の開口形状は、嵌合突起１７の形状に合わせて適宜形成されるものである。
【００５０】
また、嵌合突起１７と嵌合孔２２の嵌め合い時の摩擦力が、コンペンロープ１３１が回転する際に生じるトルクよりも大きい場合、嵌合突起１７の形状を円柱状に形成してもよい。
【００５１】
また、本例では、ロープソケット１２を四角柱状に形成した例を説明したが、これに限定されるものではない。ロープソケット１２を楕円柱状等その他各種の形状により形成してもよい。また、ロープソケット１２を保持孔部２１に挿入し、かつ下面部１２ｃを取付板１３の上面部１３ａに当接させるために、中心軸から外周までの長さが全て一定でない形状が好ましい。すなわち、ロープソケット１２としては、長方形や楕円等のように中心軸から外周までの長さに異なる箇所を有する形状が好ましい。
【００５２】
また、保持孔部２１に仕切り突起２３を設けた例を説明したが、仕切り突起２３は設けなくてもよい。さらに、挿通部２４を保持孔部２１の両端部に形成した例を説明したが、これに限定されるものではなく、挿通部２４は、少なくとも保持孔部２１の長手方向の一端部に形成されていればよい。
【００５３】
さらに、本例では、ロープソケット１２を取付板１３に取り付ける際に、９０度回転させる例を説明したが、ロープソケット１２を回転させる角度は、９０度に限定されるものではない。すなわち、ロープソケット１２を保持孔部２１に挿入させた後に、ロープソケット１２を回転させた際に、嵌合突起が嵌合孔に嵌合し、かつロープソケット１２の下面部１２ｃが取付板１３に当接する角度であればよい。
【００５４】
２．第２の実施の形態例
次に、第２の実施の形態例にかかるコンペンロープ支持機構について図５を参照して説明する。
図５は、第２の実施の形態例にかかるコンペンロープ支持機構を示す断面図である。
【００５５】
この第２の実施の形態例にかかるコンペンロープ支持機構３０が、第１の実施の形態例にかかるコンペンロープ支持機構１０と異なる点は、ロープソケットを取付板に嵌合する構成である。そのため、第１の実施の形態例にかかるコンペンロープ支持機構１０と共通する部分には、同一の符号を付して重複した説明を省略する。
【００５６】
図５に示すように、コンペンロープ支持機構３０は、くさび部材１１と、ロープソケット３２と、取付板３３と、不図示のロープクリップとを有している。ロープソケット３２は、略四角柱状に形成されている。このロープソケット３２には、テーパー状に開口する挿入孔３６が形成されている。ロープソケット３２の挿入孔３６には、くさび部材１１に巻き付けられたコンペンロープ１３１の一端部１３１ａが挿入される。
【００５７】
取付板３３には、保持孔部を構成する嵌合孔４３と、嵌合孔４３に連通する連通孔４１が形成されている。嵌合孔４３は、取付板３３の上面部３３ａに形成されており、上面部３３ａから上下方向の下方に向けて所定の長さで形成されている。この嵌合孔４３には、ロープソケット３２の上下方向の下部が嵌合する。
【００５８】
嵌合孔４３における上下方向の下端部からは、連通孔４１が連続して形成されている。連通孔４１の開口面積は、嵌合孔４３の開口面積よりも小さく設定されている。そのため、連通孔４１と嵌合孔４３が接続する箇所には、段差面４２が形成されている。この段差面４２には、嵌合孔４３に嵌合するロープソケット３２の下面部３２ｃが当接する。これにより、コンペンロープ１３１の一端部１３１ａを、ロープソケット３２及び取付板３３を介して乗りかご１２０に固定することができる。
【００５９】
その他の構成は、第１の実施の形態例にかかるコンペンロープ支持機構１０と同様であるため、それらの説明は省略する。この第２の実施の形態例にかかるコンペンロープ支持機構３０によっても、上述した第１の実施の形態例にかかるコンペンロープ支持機構１０と同様の作用効果を得ることができる。
【００６０】
なお、第１の実施の形態例にかかるコンペンロープ支持機構１０によれば、水平投影面積がロープソケット１２よりも小さい嵌合突起１７を形成したことで、この嵌合突起１７が嵌合する嵌合孔２２の開口面積を小さくすることができる。その結果、第１の実施の形態例にかかるコンペンロープ支持機構１０によれば、第２の実施の形態例にかかるコンペンロープ支持機構３０よりも、嵌合孔２２が形成される取付板１３を小さくすることができ、支持機構全体の小型化を図ることができる。
３．第３の実施の形態例
次に、第３の実施の形態例にかかるコンペンロープ支持機構について図６を参照して説明する。
図６は、第３の実施の形態例にかかるコンペンロープ支持機構を示す断面図である。
【００６１】
この第３の実施の形態例にかかるコンペンロープ支持機構５０が、第１の実施の形態例にかかるコンペンロープ支持機構１０と異なる点は、コンペンロープ１３１の端部を支持する方式である。第１の実施の形態例にかかるコンペンロープ支持機構１０では、くさび部材１１を用いたくさび式によりコンペンロープ１３１の端部を保持する構成に対して、第３の実施の形態例にかかるコンペンロープ支持機構５０では、溶融した金属によりコンペンロープ１３１の端部を保持する、いわゆるバビット式である。そのため、第１の実施の形態例にかかるコンペンロープ支持機構１０と共通する部分には、同一の符号を付して重複した説明を省略する。
【００６２】
図６に示すように、コンペンロープ支持機構５０は、ロープソケット５２と、取付板１３とを有している。取付板１３の構成は、第１の実施の形態例にかかる取付板１３と同一であるため、ここではその説明を省略する。
【００６３】
ロープソケット５２は、略四角柱状に形成されている。ロープソケット５２には、上下方向に貫通する挿入孔５６が形成されている。挿入孔５６は、ロープソケット５２における上下方向の上方から下方に向かうにつれて開口径が連続して小さくなるテーパー状に形成されている。
【００６４】
ロープソケット５２における上下方向の下端部には、嵌合突起５７が形成されている。嵌合突起５７は、取付板１３に形成された嵌合孔２２に嵌合する。
【００６５】
ロープソケット５２の挿入孔５６には、上下方向の下方からコンペンロープ１３１の一端部１３１ａが挿入される。そして、コンペンロープ１３１の一端部１３１ａは、挿入孔５６内で解される。また、ロープソケット５２の挿入孔５６内には、溶融した金属５１が流し込まれる。これにより、コンペンロープ１３１の一端部１３１ａは、金属５１によりロープソケット５２の挿入孔５６内に固定される。
【００６６】
その他の構成は、第１の実施の形態例にかかるコンペンロープ支持機構１０と同様であるため、それらの説明は省略する。バビット式からなる第３の実施の形態例にかかるコンペンロープ支持機構５０によっても、上述した第１の実施の形態例にかかるコンペンロープ支持機構１０と同様の作用効果を得ることができる。
【００６７】
なお、バビット式は、要求される技量が高く、作業者の熟練度によって仕上がりにバラツキが生じるおそれがある。そのため、作業性を考慮すると、バビット式からなる第３の実施の形態例にかかるコンペンロープ支持機構５０よりもくさび式からなる第１及び第２の実施の形態例にかかるコンペンロープ支持機構１０、３０が好ましい。
【００６８】
４．第４の実施の形態例
次に、第４の実施の形態例にかかるコンペンロープ支持機構について図７を参照して説明する。
図７は、第４の実施の形態例にかかるコンペンロープ支持機構を示す斜視図である。
【００６９】
この第４の実施の形態例にかかるコンペンロープ支持機構６０が、第１の実施の形態例にかかるコンペンロープ支持機構１０と異なる点は、取付板の構成である。そのため、ここでは取付板について説明し、第１の実施の形態例にかかるコンペンロープ支持機構１０と共通する部分には、同一の符号を付して重複した説明を省略する。
【００７０】
図７に示すように、コンペンロープ支持機構６０は、くさび部材１１と、ロープソケット１２と、一対のブラケット１２１、１２１に固定される取付板６３と、ロープクリップ１４と、補強部材１５と、を有している。
【００７１】
取付板６３は、略平板状に形成されている。取付板６３は、長手方向に間隔を空けて複数の保持孔部７１が形成されている。また、隣り合う２つの保持孔部７１は、仕切り壁７３によって仕切られている。
【００７２】
保持孔部７１には、ロープソケット１２の嵌合突起１７が嵌合する嵌合孔７２と、２つの挿通部７４、７４が形成されている。２つの挿通部７４、７４は、嵌合孔７２の短手方向の両端部に形成されている。
【００７３】
保持孔部７１の短手方向の長さＬ１、すなわち最も間隔が短い箇所の短辺開口長さＬ１は、ロープソケット１２の短辺長さＬ２（図２参照）よりも長く設定されている。また、保持孔部７１の短手方向の長さＬ１は、ロープソケット１２の長辺長さＬ３（図２参照）よりも短く設定されている。さらに、嵌合孔７２における長手方向の長さＬ４は、ロープソケット１２の長辺長さＬ３よりも短く設定されている。
【００７４】
そして、保持孔部７１の最も開口の間隔の長い箇所の長辺開口長さＬ６、すなわち長手方向の一端部の挿通部７４から他端部の挿通部７４までの長さＬ６は、ロープソケット１２の長辺長さＬ３よりも長く設定されている（Ｌ６＞Ｌ３）。そのため、ロープソケット１２の長辺部１２ｂを保持孔部７１の長手方向と平行にした状態で、ロープソケット１２を保持孔部７１に挿入することができる。
【００７５】
その他の構成は、第１の実施の形態例にかかるコンペンロープ支持機構１０と同様であるため、それらの説明は省略する。この第４の実施の形態例にかかるコンペンロープ支持機構６０によっても、上述した第１の実施の形態例にかかるコンペンロープ支持機構１０と同様の作用効果を得ることができる。
【００７６】
この第４の実施の形態例にかかるコンペンロープ支持機構６０によれば、複数の保持孔部７１を仕切る仕切り壁７３を設けたことで、取付板６３の強度をさらに向上させることができる。
【００７７】
本発明は上述しかつ図面に示した実施の形態に限定されるものではなく、特許請求の範囲に記載した発明の要旨を逸脱しない範囲内で種々の変形実施が可能である。上述した実施の形態例では、巻上機１００を昇降路１１０の頂部に設けた機械室１６０に配置した例を説明したが、これに限定されるものではない。エレベーターとしては、例えば、昇降路内に機械室を有しない、いわゆる機械室レスエレベーターに適用してもよい。
【００７８】
また、上述した実施の形態例では、コンペンロープ１３１における乗りかご１２０側である一端部１３１ａを、コンペンロープ支持機構により支持し、固定している。そして、コンペンロープ１３１における釣合おもり１４０側である他端部１３１ｂを、調整機構１９０により支持し、固定している。
【００７９】
しかしながら、コンペンロープ支持機構を配置する端部は、乗りかご１２０側の一端部１３１ａに限定されるものではない。例えば、コンペンロープ１３１の一端部１３１ａを調整機構１９０によって支持し、コンペンロープ１３１の他端部１３１ｂをコンペンロープ支持機構によって支持してもよい。あるいは、張力を調整する機構を、コンペンプーリ１３２等に設置する場合、コンペンロープ１３１における乗りかご１２０側及び釣合おもり１４０側の両端部を、コンペンロープ支持機構によって支持してもよい。
【００８０】
なお、調整機構１９０は、コンペンロープ１３１の張力を調整するためのばね部材等が必要となるため、コンペンロープ支持機構よりも上下方向の長さが長くなる。また、コンペンロープ１３１の他端部１３１ｂは、釣合おもり１４０の側面部に接続される。そのため、調整機構１９０は、上下方向にスペースがあるコンペンロープ１３１の他端部１３１ｂに設置することが好ましい。
【００８１】
これに対して、コンペンロープ１３１の一端部１３１ａは、乗りかご１２０の下部に接続される。さらに、乗りかご１２０は、昇降路１１０のピット付近である上下方向の下方まで移動する。そして、乗りかご１２０における下部の長さが長くなると、昇降路１１０におけるピットの上下方向の長さを長くする必要がある。
【００８２】
そのため、調整機構１９０よりも上下方向の省スペース化を図ることができる上述したコンペンロープ支持機構は、乗りかご１２０側の一端部１３１ａに設置することが好ましい、これにより、コンペンロープ支持機構により昇降路１１０におけるピットの上下方向の長さが長くなることを防ぐことができる。
【００８３】
なお、本明細書において、「平行」及び「直交」等の単語を使用したが、これらは厳密な「平行」及び「直交」のみを意味するものではなく、「平行」及び「直交」を含み、さらにその機能を発揮し得る範囲にある、「略平行」や「略直交」の状態であってもよい。
【符号の説明】
【００８４】
１…エレベーター、  １０、３０、５０、６０…コンペンロープ支持機構、  １１…くさび部材、  １２、３２、５２…ロープソケット、  １２ａ…短辺部、  １２ｂ…長辺部、  １２ｃ、３２ｃ…下面部、  １３、３３、６３…取付板、  １３ａ、３３ａ…上面部、  １４…ロープクリップ、  １５…補強部材、  １６、３６、５６…挿入孔、  １７、５７…嵌合突起、  １７ａ…挿通孔、  ２１、７１…保持孔部、  ２２、４３、７２…嵌合孔、  ２３…仕切り突起、  ２４、７４…挿通部、  ４１…連通孔、  ４２…段差面、  ５１…金属、  ７３…仕切り壁、  １００…巻上機、  １１０…昇降路、  １２０…乗りかご、  １２１…ブラケット、  １３０…主ロープ、  １３１…コンペンロープ、  １３１ａ…一端部、  １３１ｂ…他端部、  １３１ｃ…中間部、  １３２…コンペンプーリ、１４０…釣合おもり、  １６０…機械室、  １９０…調整機構
【図１】
2020175988.tif 000003
【図２】
2020175988.tif 000004
【図３】
2020175988.tif 000005
【図４】
2020175988.tif 000006
【図５】
2020175988.tif 000007
【図６】
2020175988.tif 000008
【図７】
2020175988.tif 000009
【図８】
2020175988.tif 000010